Podtech/llm-jp-corpus-v4-ja_patent huggingface dataset:
(57)【要約】      （修正有）【課題】スイッチを取り付ける、穴あけ箇所の調べと、穴あけズミが同時に出来る、スイッチ穴あけ定規付き下地センサーを提供する。【解決手段】片手でセンサーを持ち、最良な場所を調べて、そのまま、片方の手で鉛筆などでセンサーの周りを、なぞると、スミが書ける、ノコギリで穴を開けて、スイッチを取り付ける。【選択図】図１
0003136293.tif 000002
【実用新案登録請求の範囲】
【請求項１】
下地又は間柱センサーを埋め込み型スイッチ、又はコンセントの穴あけ寸法の定規として使用出来る構造。
【考案の詳細な説明】
【技実分野】
【０００１】本考案は下地、又は間柱センサーと、定規に、関する。
【背景技実】
【０００２】従来のセンサーには、定規が付いていない。
【考案の開示】
【考案が解決しようとする課題】
【０００３】埋め込み型スイッチ、コンセントを壁に取り付けるとき、壁の中が中空でないと、取り付けが出来ない。叩いて音で判断したり、下地、又は間柱センサーで調べて、定規で穴あけ寸法を測り、スミをして、ノコギリで、穴を開けた。
【課題を解決するための手段】
【０００４】下地、又は間柱センサーの壁に接する、面を、スイッチの穴あけ寸法定規にした。
【考案の効果】
【０００５】スイッチを取り付ける、穴あけ箇所の調べと、穴あけズミが同時に出来る。
【考案を実施するための最良の形態】
【０００６】センサーの物に接する面を図１、図２の定規とする。
センサーの壁面、天井面に接する部分が定規なので片手で場所を探し、片手でセンサーの回りを鉛筆でなぞると、スミが出来る。
【図面の簡単な説明】
【０００７】
【図１】本考案の穴あけ定規の形状と、寸法
【図２】本考案の穴あけ定規の形状と、寸法
【符号の説明】
【０００８】１  スイッチ又はコンセントの穴あけ定規の寸法、４０ｍｍ〜６０ｍｍ
２  スイッチ又はコンセントの穴あけ定規の寸法９２ｍｍ〜１０５ｍｍ
【図１】
0003136293.tif 000003
【図２】
0003136293.tif 000004
【手続補正書】
【提出日】平成19年7月11日(2007.7.11)
【手続補正１】
【補正対象書類名】実用新案登録請求の範囲
【補正対象項目名】全文
【補正方法】変更
【補正の内容】
【実用新案登録請求の範囲】
【請求項１】
壁内部の状態を検知する下地センサーであって、前記下地センサーの前記壁に接する面の形状が、前記壁に設置されるスイッチ又はコンセントの取り付け形状であることを、特徴とする、下地センサー。
(57)【要約】【課題】    本考案は額に新家、旧家の写真を収納し、祝い言葉との組み合わせである。【解決手段】    本考案は額４に新家の写真１、旧家の写真２を貼り、３祝い文字を組み合わせる。【選択図】図１
0003136298.tif 000002
【実用新案登録請求の範囲】
【請求項１】
額縁に新家、旧家の型枠を設け当該額内に祝いの言葉を入れセットとする。
【考案の詳細な説明】
【技術分野】
【０００１】  本考案は、額に写真と文字を組み合わせた贈り物用額である。
【背景技術】
【０００２】  家を新築した際、掛け軸や絵画等はみられるが、新旧の家の写真と祝い文字の組み合わせは従来ない。
【考案の開示】
【考案が解決しようとする課題】
【０００３】  従来また既存しているのは、写真や書画（文字）単独で装飾されスペースが必要となる。本考案は、同時に組み合わせさらに、旧家の写真、新家の写真を写したり保存したりするのは労働的負担である。従って、写真額の機能と掛け軸機能を一体化することにより景観の良いものになる。
【課題を解決するための手段】
【０００４】  本考案は、額に写真を貼るスペースを２つ設けその上面に祝い言葉を記す。
【考案の効果】
【０００５】  新築の家の写真はすぐに撮れるが、旧家の写真を保管し新家と組み合わせたのはない。一目で新旧比較対象でき贈り主に記念の品となる。
【考案の実施するための最良の形態】
【０００６】  額の中の構成は新家、旧家の写真を貼る窓枠を設けその上には祝い言葉を掲げる。
【実施例】
【０００７】  以下、添付図面に従って一実施例を説明する。１は新築の家の写真、２は旧築の家の写真、３は祝い言葉、４は和紙又は布にて土台となる下敷き。
【図面の簡単な説明】
【００１０】
【図１】  本考案の新旧家の写真及び祝い言葉入り額
【符号の説明】
【００１１】１  新築の家の写真
２  旧築の家の写真
３  祝いの言葉
４  和紙又は布にて土台となる下敷き
【図１】
0003136298.tif 000003
【手続補正書】
【提出日】平成19年7月12日(2007.7.12)
【手続補正１】
【補正対象書類名】実用新案登録請求の範囲
【補正対象項目名】全文
【補正方法】変更
【補正の内容】
【実用新案登録請求の範囲】
【請求項１】
額縁内に新築家、旧築家の写真を貼る型枠を設け当該額内に祝いの言葉を入れた、新旧築家の写真及び祝い言葉入り額。
【手続補正２】
【補正対象書類名】明細書
【補正対象項目名】０００３
【補正方法】変更
【補正の内容】
【０００３】  従来また既存しているのは、写真や書画（文字）単独で装飾されスペースが必要となる。本考案は、同時に写真と文字を組み合わせるもので、また旧築家の写真、新築家の写真を写したり保存したりするのは労働的負担である。従って、写真額の機能と掛け軸機能を一体化することにより景観の良いものになる。
【手続補正３】
【補正対象書類名】図面
【補正対象項目名】図１
【補正方法】変更
【補正の内容】
【図１】
0003136298.tif 000004
(57)【要約】      （修正有）【課題】子どもや力の弱い人にも簡単にラベルがはがせ、リサイクルの上でもより分別をしやすくする。【解決手段】突起がついた形にしてこれを握って引っ張る。【選択図】図１
0003136269.tif 000002
【実用新案登録請求の範囲】
【請求項１】
ペットボトルに巻かれているラベルの形状を工夫し、リサイクルなどの分別時にはがしやすくしたもの。
【考案の詳細な説明】
【技術分野】
【０００１】本考案は、ペットボトルのラベルに関する。
【背景技術】
【０００２】リサイクルなどでペットボトルとラベルを分ける時など、従来は小さな穴の縦列ではがしやすくはなっていたが、ペットボトルやラベルの形状によりはがしにくい種類のものもあった。
【考案の開示】
【考案が解決しようとする課題】
【０００３】ペットボトルのラベルの形状によりはがしにくい種類のものも、子どもや力の弱い人でもはがせるようにする
【考案が解決するための手段】
【０００４】ペットボトルのラベルの形状を従来の切り込みの下部に突起のような形を加えたものにする。
【０００５】この突起を握り引っ張ることにより、ペットボトルからラベルがはがしやすくなる。
【考案を実施するための最良の形態】
【０００６】ラベルの形を指でつまみやすい突起をつけたようにする。
【図面の簡単な説明】
0003136269.tif 000003
【図１】
0003136269.tif 000004
【手続補正書】
【提出日】平成19年2月15日(2007.2.15)
【手続補正１】
【補正対象書類名】実用新案登録請求の範囲
【補正対象項目名】全文
【補正方法】変更
【補正の内容】
【実用新案登録請求の範囲】
【請求項１】
ペットボトルに巻かれているラベルを、その下側、現在ラベルにはがしやすくするために開けられている穴の下に指でつまめるほどの突起がついた形状にする。リサイクルなどの分別時に突起部分を指でつまんで切り込み用の穴に向かって引っ張ることにより、よりはがしやすくなったペットボトルのラベル。
【手続補正２】
【補正対象書類名】明細書
【補正対象項目名】０００７
【補正方法】変更
【補正の内容】
【０００７】
【図１】平面図
【図２】立体図
【手続補正３】
【補正対象書類名】図面
【補正対象項目名】全図
【補正方法】変更
【補正の内容】
【図１】
0003136269.tif 000005
【図２】
0003136269.tif 000006
【手続補正書】
【提出日】平成19年4月12日(2007.4.12)
【手続補正１】
【補正対象書類名】実用新案登録請求の範囲
【補正対象項目名】全文
【補正方法】変更
【補正の内容】
【実用新案登録請求の範囲】
【請求項１】
ペットボトルに巻かれているラベルを、その下側、ラベルにはがしやすくするために開けられている穴の下に指でつまめるほどの突起がついた形状にし、リサイクルなどの分別時に突起部分を指でつまんで切り込み用の穴に向かって引っ張ることにより、よりはがしやすくなったペットボトルのラベル。
(57)【要約】      （修正有）【課題】捕獲した獲物を容易に殺傷できるトゲ付き箱わなを提供する。【解決手段】トゲ１を箱わな５の扉２の内部と天井に設置し、扉２の内側に設置するトゲ１は、鉄板６を用い多数のトゲ１を溶接する。両側面は有刺鉄線７を針金８で縛る構造とする。これにより捕獲した獲物は激突して半死状態に陥るので、あとの処置に手間取らない。【選択図】図１
0003136268.tif 000002
【実用新案登録請求の範囲】
【請求項１】
箱わなの内部の床を除く、、両側面、両扉、天井にトゲを設置し、両側面においては有刺鉄線のトゲに代替するトゲ付き箱わな。
【考案の詳細な説明】
【技術分野】
【０００１】本案はトゲを装置した箱わなに関するものである。
【背景技術】
【０００２】  これまで箱わなで捕獲した獲物は刃物で殺傷し処置した。
【考案の開示】
【考案が解決しようとする課題】
【０００３】  狩猟法に基き銃射撃は目的物以外に使用してはならないという条文がある。従ってこの条文に照らし、箱わなで捕獲した獣は、すでに捕獲が終了したものであるから、目的外の使用に該当する。銃使用は認められない。となっている。
銃が使用できなければ、刃物で殺傷するしかない。肉食獣ではないまでも獰猛な猪である。野外でこれまで猪に襲われて重傷を負った者、命を落とした者も少なくない。ピンピン生きた猪を刃物で刺すことは大変なことである。刺された猪は猛烈に暴れまわる。本考案は前述の欠点を解決しようとするものである。
【課題を解決するための手段】
【０００４】  入り口の扉が閉まると同時に猪は、扉に向かって激突する。向こうみずの猪突である。扉に設置したトゲで致命傷を負わせる。猪は長手の方向と天井に体当たりして脱出しようとする。従って天井にもトゲを設ける。弱った猪なら比較的安易に処置できる。箱わなの両側面は猪が警戒するので、有刺鉄線を適宜巻きつける程度に留める。従って問題点の解決を図ることができる。
【考案の効果】
【０００５】  箱わなで捕獲されるイノシシは、扉が閉まると同時に猪突で扉に体当たりする。扉に長いトゲが設置してあり致命傷を与える。イノシシは縦の長い方向と天井に激突して脱出しようとする。天井のトゲでも深手を負う。【０００６】  両側面にトゲを設置するとイノシシは警戒して中に入らない。有刺鉄線をところどころに取り付ける程度に留める。
【考案を実施するための最高の形態】
【０００７】  箱わなで捕獲したイノシシは無傷であり、猛烈に暴れ回る。トゲによって半死状態に陥り、捕獲したあとの処置に手間どらない。
【実施例】
【０００８】  １のトゲを箱わなの２の扉の内部と天井に設置する。【０００９】  ２の扉の内側に設置する１のトゲは、６の鉄板を用い多数の１のトゲを溶接する。【００１０】  箱わなの両側面に７の有刺鉄線をところどころ適宜に巻きつけ、８の針金で縛る。
【図面の簡単な説明】
【００１１】
【図１】  箱わなの側面図である。
【図２】  箱わなの平面図である。
【図３】  扉の内側からの正面図である．
【図４】  有刺鉄線を施工した状態を示す正面図である。
【符号の説明】
【００１２】１    トゲ
２    扉
３    ワイヤー
４    接続部
５    箱わな
６    鉄板
７    有刺鉄線
８    針金
【図１】
0003136268.tif 000003
【図２】
0003136268.tif 000004
【図３】
0003136268.tif 000005
【図４】
0003136268.tif 000006
【手続補正書】
【提出日】平成18年12月4日(2006.12.4)
【手続補正１】
【補正対象書類名】実用新案登録請求の範囲
【補正対象項目名】全文
【補正方法】変更
【補正の内容】
【実用新案登録請求の範囲】
【請求項１】
箱わなの内部の床を除く、、両側面、両扉、天井にトゲを設置し、両側面においては有刺鉄線のトゲに代替するトゲ付き箱わな。
【請求項２】
枠にトゲをねじ込み扉の内側に設置する請求項１記載のトゲ付き箱わな。
【手続補正２】
【補正対象書類名】明細書
【補正対象項目名】図５
【補正方法】追加
【補正の内容】
【図５】
枠の正面図である。
【手続補正３】
【補正対象書類名】明細書
【補正対象項目名】図６
【補正方法】追加
【補正の内容】
【図６】
枠の側面図である。
【手続補正４】
【補正対象書類名】明細書
【補正対象項目名】図７
【補正方法】追加
【補正の内容】
【図７】
トゲの側面図である。
【手続補正５】
【補正対象書類名】明細書
【補正対象項目名】００１２
【補正方法】変更
【補正の内容】
【００１２】        １    トゲ
２    扉
３    ワイヤー
４    接続部
５    箱わな
６    鉄板
７    有刺鉄線
８    針金
９    枠
１０    ネジ
１１    ねじ込み部
【手続補正６】
【補正対象書類名】図面
【補正対象項目名】図５
【補正方法】追加
【補正の内容】
【図５】
0003136268.tif 000007
【手続補正７】
【補正対象書類名】図面
【補正対象項目名】図６
【補正方法】追加
【補正の内容】
【図６】
0003136268.tif 000008
【手続補正８】
【補正対象書類名】図面
【補正対象項目名】図７
【補正方法】追加
【補正の内容】
【図７】
0003136268.tif 000009
【手続補正書】
【提出日】平成19年2月23日(2007.2.23)
【手続補正１】
【補正対象書類名】実用新案登録請求の範囲
【補正対象項目名】全文
【補正方法】変更
【補正の内容】
【実用新案登録請求の範囲】
【請求項１】
箱わなの内部の床を除き両扉と天井にトゲを設置し、両側面は有刺鉄線を施すトゲ付き箱わな。
(57)【要約】      （修正有）【課題】建設業において、空気圧縮機を使用する時に、空気分岐タンクを使用する事により、ホースの削減、水の取り除き、作業効率を上げる。【解決手段】使用期限の切れたガスボンベを利用したエアタンク１に分岐バルブ２を取り付け、空気圧縮機６からの空気を分岐して使用することを特徴とする空気分岐タンク。【選択図】図３
0003136265.tif 000002
【実用新案登録請求の範囲】
【請求項１】
使用期限の切れたガズボンベを加工し分岐バルブを取り付け空気圧縮機からの空気を分岐して使用する事を特徴とする。
【考案の詳細な説明】
【考案の詳細な説明】
【産業上の利用分野】
【０００１】本考案は、建設業において空気圧縮機を使用する時に関する。
【背景技術】
【０００２】従来、空気圧縮機にホースをつなぎ、直接コンクリート破砕機に接続し、使用する。
【考案が解決しようとする課題】
【０００３】その１．  従来、空気圧縮機から作業場所までの距離が有る場合、長いホースを購入（１ｍ  ５００円〜７００円）
その２．  空気圧縮機からホースで直接コンクリート破砕機に接続し使用するので空気圧縮機から出る少量の水により、破砕機の故障の原因になる。
その３．  長いホースを使用する事により、ホースのねじれ、準備等作業効率が下がる。
その４．  破砕機から水が飛び散る為、作業服が汚れる。
【課題を解決するための手段】
【０００４】前記の課題を解決するため、作業場所の近くに空気分岐タンクを設置する事で長いホースの削減、水の取り除き、作業効率を上げる事が出きる。
【作用】
【０００５】本考案は、空気圧縮機からホース、空気分岐タンク、ホース、コンクリート破砕機の順で使用する事により、ホースの削減、又水を取り除く事により作業効率の改善ができる。
【実施例】
【０００６】以下、実施例について図面により説明する。
［図１］は、従来の作業方法である［図２］の様に空気分岐タンクを設置する事によりホースの削減となる。又、［図２］にする事によりホースのねじれ、ホース移動等の作業効率の悪さを解消出来、［図３］の２、分岐バルブの片側１本に空気圧縮機からのホースをつなぎ、他の２、分岐バルブからコンクリート破砕機につなぐ事により、１、エアータンクに水がたまり、破砕機の故障の原因を少なくする事になり、又水の飛散を押さえることにより、作業服のよごれも少なくなる［図３］の空気分岐タンク３．水、空気抜きバルブを開く事により、水を取り除き、次の日の作業、冬場の凍結防止になる。
【考案の効果】
【０００７】以上説明したように、本考案によれば、資材の削減、作業効率の改善、使用機材の故障原因の減少などに効果が有る。
【図面の簡単な説明】
【図１】従来の技術の略図
【図２】本考案の実施例の略図
【図３】本考案空気分岐タンクの主要構成部の概略図
【符号の説明】
１．エアータンク
２．分岐バルブ
３．水、空気抜きバルブ
【図１】
0003136265.tif 000003
【図２】
0003136265.tif 000004
【図３】
0003136265.tif 000005
【手続補正書】
【提出日】平成19年1月10日(2007.1.10)
【手続補正１】
【補正対象書類名】実用新案登録請求の範囲
【補正対象項目名】全文
【補正方法】変更
【補正の内容】
【実用新案登録請求の範囲】
【請求項１】
使用期限の切れたガスボンベを利用したエアタンク１に分岐バルブ２を取り付け、空気圧縮機６からの空気を分岐して使用することを特徴とする空気分岐タンク。
【手続補正２】
【補正対象書類名】明細書
【補正対象項目名】０００３
【補正方法】変更
【補正の内容】
【０００３】  その１．従来、空気圧縮機６から作業場所７までの距離がある場合、多数の長尺ホース          ５が必要であり経費増になっていた。
その２．空気圧縮機６からコンクリート破砕機４に直接ホース接続して使用するので、          空気圧縮機６から出る少量の水により、コンクリート破砕機４の故障の原因に          なった。
その３．長いホースを使用することにより、ホース５が捩れ、準備等の作業効率が下が          る。
その４．コンクリート破砕機４から水が飛び散るため、作業服が汚れる等の問題があっ          た。
【手続補正３】
【補正対象書類名】明細書
【補正対象項目名】０００６
【補正方法】変更
【補正の内容】
【０００６】以下、実施例について図面により説明する。
〔図１〕は、従来のコンクリート破砕作業の方法である。
これに対して〔図２〕の様に空気分岐タンクを設置することにより、空気圧縮機６からのホース５は唯１本あればよいことになり、ホース購入費用の削減になる。
また、ホースの「捩れ」がなくなり、ホース５の移動時の作業効率の悪さが解消できた。
〔図３〕に示すように、分岐バルブ２の片側１本に空気圧縮機６からのホースをつなぎ、それ以外の分岐バルブ２からはコンクリート破砕機４につないだ。こうすることにより、エアータンク１内に水が保留されることにより、破砕機の故障原因を減少でき、水の飛散による作業服の汚れも少なくなった。水、空気抜きバルブ３を開くことにより、水の抜取りが可能であり、冬場での凍結防止や次の日の作業準備に即応できるようになる。
【手続補正４】
【補正対象書類名】明細書
【補正対象項目名】符合の説明
【補正方法】変更
【補正の内容】
【符号の説明】
１．エアータンク
２．分岐バルブ
３．水、空気抜きバルブ
４．コンクリート破砕機
５．ホース
６．空気圧縮機
７．作業場所
【手続補正５】
【補正対象書類名】図面
【補正対象項目名】全図
【補正方法】変更
【補正の内容】
【図１】
0003136265.tif 000006
【図２】
0003136265.tif 000007
【図３】
0003136265.tif 000008
(57)【要約】【課題】本考案は履いて歩くだけで足裏のツボが刺激されまた足腰を強くし、従来品より汚れがたまりにくく、突起物が簡単に摩耗することのない長持ちする健康サンダルを実現する。【解決手段】木板上部に複数の丸みを帯びた天然石を散りばめ接着樹脂で固定し、前記の木板下部に下底合成樹脂を貼り付け、さらに前記の木板部両サイドにストラップを取り付けた本考案サンダルを足に履くことで、前記の複数の丸みを帯びた天然石がもつ独特の肌触りなどから生じる足ツボへの刺激は合成樹脂などで作られた従来品よりも強力なものとなり、前記の刺激は足裏全体で得られ、前記の複数の丸みを帯びた天然石を密集させずに散りばめることで汚れをたまりにくくし、前記の複数の丸みを帯びた天然石を突起物として用いることで簡単に摩耗することもなく、さらに重量があるので足腰も鍛えられる。【選択図】図１
0003136270.tif 000002
【実用新案登録請求の範囲】
【請求項１】
木板の上部表面に複数の丸みを帯びた天然石を足裏ツボに当たるように適当に散りばめ、それを接着樹脂で固定し、前記の木板下部と下底合成樹脂とを接着させ、なおかつ前記の木板部の両サイドにストラップを取り付け、前記の複数の丸みを帯びた天然石の質感と重量感が使用者の足に効率よく刺激を与えるように構成したことを特徴とする健康サンダル。
【考案の詳細な説明】
【技術分野】
【０００１】この考案は、指圧的ならびに足腰を鍛える効果を有する健康サンダルに関する。
【背景技術】
【０００２】従来の技術は、軽いプラスチック製あるいは合成樹脂製で、接足面に突起物を設けたサンダル等がある。
【考案の開示】
【考案が解決しようとする課題】
【０００３】従来の技術は、プラスチックあるいは合成樹脂など柔らかい材料で軽量に作られる傾向があり、また突起物同士の間に汚れがたまり汚くなりやすく、長期間使用すれば前記の突起物が変形あるいは摩耗し、足のツボを押さえる効果が著しく減少している。
【課題を解決するための手段】
【０００４】この考案では、足裏のツボを刺激するよう複数の丸みを帯びた天然石を散りばめ接着した物の下底に合成樹脂を更に合体し密着し、なおかつ前記の木板部両サイドにストラップを取り付け固定させることにより、前記の複数の丸みを帯びた天然石のもつ遠赤効果と前記の複数の丸みを帯びた天然石の風合いや感触が足裏のツボを刺激し、永く使用しても汚れがたまりにくく、突起物の変形や摩耗も抑え、また合成樹脂製の従来品よりも前記の複数の丸みを帯びた天然石と前記の木板により重量があるので、歩くだけで足ツボを刺激し足腰を強くすることが可能となる。
【考案の効果】
【０００５】人体の足裏のツボを刺激するとともに血流も良くし、また足腰も強くなる要因となり、永く使用しても突起物の摩耗からくる性能の低下が抑えられ、さらに汚れもたまりにくくなる。
【考案を実施するための最良の形態】
【０００６】木板２上部に複数の丸みを帯びた天然石３を散りばめ接着樹脂４で固定し、前記の木板下部に下底合成樹脂１を貼り付け、さらに前記の木板２部両サイドにストラップ５を取り付けた物を足に履くことで、前記の複数の丸みを帯びた天然石３がもつ独特の肌触りなどから、ツボの刺激を足裏全体で得られ、さらに重量があるので足腰も鍛えられる。
【実施例】
【０００７】室内で常用あるいは屋外での散歩など。
【図面の簡単な説明】
【０００８】
【図１】健康サンダルの斜視面図である。
【図２】健康サンダルの横面図である。
【図３】健康サンダルの表面図である。
【符号の説明】
【０００９】１．下底合成樹脂
２．木板
３．天然石
４．接着樹脂
５．ストラップ
【図１】
0003136270.tif 000003
【図２】
0003136270.tif 000004
【図３】
0003136270.tif 000005
(57)【要約】【課題】けんかごまとして遊ばれる鉄輪ごまにおいて、こま本体に対して鉄輪の取り付けが簡単で鉄輪周辺のこま本体の傷みのない鉄輪ごまを提供すること、【解決手段】上に末広がり状の外周面１aを有するこま本体１の上部に、外周面１aの最大径より所要に縮径された所要高さの輪状の係着座１dを欠設し、こま本体１の外周面下端面１eから挿通される中心軸２の下部大径軸２aの段差部２bを下端面１eに係止させて中心軸２をこま本体１に軸着し、前記係着座にこま本体１の最大径より所要に拡径された外径と、前記係着座の高さの鉄輪３を外嵌して成る。  このほか、鉄輪３が嵌着部１c接着剤４を介在させて外嵌される。【選択図】  図１
0003136224.tif 000002
【実用新案登録請求の範囲】
【請求項１】
上に末広がり状の外周面を有するこま本体の上部に、該外周面の最大径より所要に縮径され所要高さの係着座を欠設し、こま本体の外周面下端面から挿通される中心軸の下部大径軸の段差部を該下端面に係止させて中心軸をこま本体に軸着し、該係着座にこま本体の最大径より所要に拡径された外径と、前記係着座の高さの鉄輪を外嵌して成る鉄輪ごま。
【請求項２】
前記鉄輪が係着座に接着剤を介して外嵌されて成る請求項１記載の鉄輪ごま。
【考案の詳細な説明】
【技術分野】
【０００１】
本考案は、独楽玩具の分野に属し、紐を用いて手で投げつけて回す鉄輪ごまに関する。
【背景技術】
【０００２】
従来から、主として屋外で紐を用いて手で投げつけて回す独楽で、こま本体に鉄輪を嵌めた鉄輪ごま（胴輪ごまともいう。）は、下方へ向けて大径とするテーパ面を形成するこま本体の上部外周に鉄輪を押し込んで抜け止めしたり、ビス止めしたりするものであるが、こま本体と鉄輪の両者に多くの加工を要するものであった。
ところで、分離可能な複数の部材を備えて、各部材の組合せにより模様や形状等の形態を容易に変更できる、とする独楽が特開２００１−５４６８３号公報（特許文献１）に提案されている。そのものは外周部６の上面に起立部６aを立設し、起立部６aにリング状の上縁部７を雌雄螺合しているが、この構造を鉄輪ごまのこま本体への鉄輪の取り付けに利用した場合、鉄輪ごまはいわゆる「けんかごま」として遊ばれるものであるから、手で投げつけたときの衝撃力によって雌雄の螺合が緩み鉄輪がこま本体から外れ易いことと、鉄輪の外周とこま本体の上端外周が同一径であるから投げつけたときにこま本体の上端外周が傷み易い欠陥があった。
【特許文献１】特開２００１−５４６８３号公報
【考案の開示】
【考案が解決しようとする課題】
【０００３】
上記に鑑みてけんかごまとして遊ばれる鉄輪ごまにおいて、こま本体に対して鉄輪の取り付けが簡単で鉄輪周辺のこま本体の傷みのない鉄輪ごまを提供しようとする。
【課題を解決するための手段】
【０００４】
本考案の請求項１に記載した鉄輪ごまは、上に末広がり状の外周面を有するこま本体の上部に、該外周面の最大径より所要に縮径され所要深さの輪状の嵌着部が欠設されて係着座が形成され、こま本体の外周面下端に形成される下端面から挿通される中心軸の下部大径軸の段差部を該下端面に係止させて中心軸をこま本体に軸着し、該係着座にこま本体の最大径より所要に拡径された外径と、前記係着座の高さと同寸の鉄輪を外嵌して成る。
請求項２に記載した鉄輪ごまは、請求項１に記載した鉄輪ごまにおいて鉄輪が係着座に接着剤を介して接着されて成る。
【考案の効果】
【０００５】
本考案の鉄輪ごまによれば、こま本体の上部と鉄輪の構造が簡易であるとともに、こま本体に対する鉄輪の固定がし易く、鉄輪の内周と嵌着部の外周との間に塗布される接着剤が係着座へ浸み込み、より強固に接着される。
【考案を実施するための最良の形態】
【０００６】
本考案の鉄輪ごまにおけるこま本体の外周面は球面や円錐面などが選択され、鉄輪の外径はこま本体の外周面の最大径と係着座の外径との差を加算した寸法が最良とされる。
【実施例】
【０００７】
本考案を実施例により説明すると、図１、図２に示すように、上に末広がり状の球面からなる外周面１aを有するこま本体１の上部に、外周面１aの上端外周（最大径、66mm）１bより所要（8mm）に縮径された輪状の嵌着部１cが欠設されて係着座１dが形成され、こま本体１の外周面１aの下端に形成される平坦な下端面１eから挿通される中心軸２の下部大径軸２aの段差部２bを下端面１eに係止して中心軸２をこま本体１に軸着し、係着座１dには外径が上端外周１bより所要（8mm）に拡径され、背丈が係着座１dの高さの鉄輪３が緊着状態で外嵌されるとともに、鉄輪３の内周面３aと係着座１dの外周面１fとの間に接着剤４が塗布され、接着剤４は鉄輪３とこま本体１を強固に接着する。
【０００８】
このようにして成る鉄輪ごまＡは、中心軸２の上部突出部２cに紐の係着輪（図外）が係着され、下部大径軸２aを経て外周面１aに巻き付けられた紐を持って投げつけられ、いわゆる「けんかごま」として相手のこまに当てて倒したり、土俵の外に出したり、相手のこまを割るなどで遊ばれる。
投げつけたときの衝撃が鉄輪３と中心軸２に負荷されるが、鉄輪３とこま本体１は強固に固定されているから衝撃によって外れることなく、中心軸２は段差部２bで下端面１eに係止されるから衝撃によって上方へ飛び出すこともなく、こま本体１の上端外周１bは鉄輪３によって保護されるから傷損されることなく、頑丈な鉄輪ごまＡとして子供達に愛用される。なお、嵌着部１cの上面には中心軸２と同心状に、模様付けのための凹溝１gが二輪設けられる。
【産業上の利用可能性】
【０００９】
こま本体の嵌着部に鉄輪を外嵌押圧するのみで鉄輪を係着座に位置決めできるから、鉄輪ごまの製作が簡易となる上、こま本体が割れて新たなこま本体に鉄輪を組み付ける場合も簡易であるから独楽玩具業界の活性化に貢献できる。
【図面の簡単な説明】
【００１０】
【図１】本考案の鉄輪ごまＡの縦断面図。
【図２】同上鉄輪ごまＡの平面図。
【符号の説明】
【００１１】
１：こま本体
１a：外周面
１b：上端外周
１c：嵌着部
１d：係着座
１e：下端面
１f：外周面
１g：凹溝
２：中心軸
２a：下部大径軸
２b：段差部
２c：上部突出部
３：鉄輪
３a：内周面
４：接着剤
Ａ：鉄輪ごま
【図１】
0003136224.tif 000003
【図２】
0003136224.tif 000004
(57)【要約】【課題】手持部の上揚角度が過大で施力しにくい時、手持部を下圧し、更に、上に挙げる動作をし、この間、下圧動作は舌縁に可動棒を推移させて、可動棒のもう一つの側に跨動し、舌縁が可動棒で手持部の上揚角度を小さくし、使用者は手持部を上に引けば、コルクが簡単に引き出せるオープナー構造を提供する。【解決手段】承体からなり、承体の同一側にそれぞれ相隣する押さえ棒、及びスクリューを有し、押さえ棒は抵口を有し、カバーは承体外を被覆し、手持部の一端は前記カバーに枢設され、手持部の承体部分は二滑槽を有し、滑槽内に可動棒を設置し、手持部の軸部に近接して舌縁を有し、且つ、舌縁は二滑槽、及び可動槽間を介する。【選択図】図３
0003136229.tif 000002
【実用新案登録請求の範囲】
【請求項１】
承体からなり、前記承体の同一側にそれぞれ相隣する押さえ棒、及び、スクリューを有し、前記押さえ棒は抵口を有し、カバーは前記承体外を被覆し、手持部の一端は前記カバーに枢設され、前記手持部の承体部分は、二滑槽を有し、滑槽内に可動棒を設置し、前記手持部の軸部に近接して舌縁を有し、且つ、前記舌縁は二滑槽、及び、前記可動槽間を介することを特徴とする、オープナー構造。
【請求項２】
前記手持部末端は刀片を有することを特徴とする、請求項１に記載のオープナー構造。
【考案の詳細な説明】
【技術分野】
【０００１】
本考案は、特に、てこ原理によりコルクを瓶口外に引くと同時に、手持部角度を変化させるオープナー構造に関するものである。
【背景技術】
【０００２】
図５は公知のオープナー構造を示し、長柄状の主体からなり、主体の一端は押さえ棒１１を枢設し、押さえ棒１１は適当な角度で回転し、可動端は抵口１２を有し、抵口１２は瓶口縁で抵止して動かない。押さえ棒１１に隣接してスクリュー１３を設置し、スクリュー１３をコルクに差し込んで固定する。主体１は長い手持部１４を有する。
【０００３】
使用時、スクリュー１３をコルク１４中に螺入し、押さえ棒１１の抵口１２を瓶口縁に抵止し、手持部１４を上に引く時、てこ原理によりコルクが瓶口から外に出る。
【０００４】
コルク栓は長く、手持部１４により最大限に施力されても、一部のコルクが瓶口内に残り、オープナー全体を外に引きださないとコルクが抜けない。
【考案の開示】
【考案が解決しようとする課題】
【０００５】
本考案は、手持部が角度調整できるオープナー構造を提供し、手持部により揚角を小さくした構造により、コルクの抜出を容易にすることを目的とする。
【課題を解決するための手段】
【０００６】
本考案のオープナー構造は、承体からなり、承体の同一側にそれぞれ相隣する押さえ棒、及び、スクリューを有し、押さえ棒は抵口を有し、カバーは承体外を被覆し、手持部の一端は前記カバーに枢設される。手持部の承体部分は二滑槽を有し、滑槽内に可動棒を設置する。手持部の軸部に近接して舌縁を有し、且つ、舌縁は二滑槽、及び、可動槽間を介する。手持部末端は更に刀片を有する。押さえ棒、スクリュー、及び、刀片は湾折して手持部内に収納でき、体積を縮小させる。
【考案の効果】
【０００７】
本考案は、てこ原理によりコルクを瓶口外に向けて引き、手持部により揚角を小さくした構造により、コルクの抜出を容易にする。
【考案を実施するための最良の形態】
【０００８】
図１、図２で示されるように、本考案は、承体２を有し、承体２の同一側にそれぞれ相隣する押さえ棒３、及び、スクリュー４を有する。押さえ棒３は抵口３１を有する。カバー５が承体２外を被覆し、手持部６の一端がカバー５内に枢設される。手持部６の軸部に近接する承体２部分に、位置が相対する二滑槽２１を有し、滑槽２１は可動棒２２を有する。手持部６は軸部に近接する箇所に舌縁６１を有し、且つ、舌縁６１は二滑槽２１、及び、可動棒２２の間を介する。手持部６末端は更に刀片６２を有する。押さえ棒３、スクリュー４、及び、刀片６２は湾折して手持部６内に収納でき、体積を縮小させる。
【０００９】
図３で示されるように、上述の素子を組み立て、並びに、実施後、使用時に、押さえ棒３とスクリュー４を展開し、手持部６と承体２をほぼ一直線上に保持して、スクリュー４を押さえ棒３の抵口３１が瓶口に抵止するまでコルク７に螺入し、この時、手持部６を上に引けば、コルク７が次第に外に引かれる。図４で示されるように、手持部６を上揚させる角度が過大で施力しにくい時、手持部６を下圧し、更に、上に挙げる動作をし、この間、下圧動作は、舌縁６１に可動棒２２を推移させて、可動棒２２のもう一つの側を跨動し、舌縁６１が可動棒２２で手持部６の上揚角度を小さくし、使用者は手持部６を上に引けば、コルクが簡単に引き出せる。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【図面の簡単な説明】
【００１１】
【図１】本考案の外観参考図
【図２】本考案の構造分解立体図
【図３】本考案の実施動作図（１）
【図４】本考案の実施動作図（２）
【図５】公知のコルクオープナーの実施例図
【符号の説明】
【００１２】
１１  押さえ棒
１２  抵口
１３  スクリュー
１４  手持部
１５  コルク
２    承体
２１  滑槽
２２  可動棒
３    押さえ棒
３１  抵口
４    スクリュー
５    カバー
６    手持部
６１  舌縁
６２  刀片
７    コルク
【図１】
0003136229.tif 000003
【図２】
0003136229.tif 000004
【図３】
0003136229.tif 000005
【図４】
0003136229.tif 000006
【図５】
0003136229.tif 000007
(57)【要約】      （修正有）【課題】冬季の屋外における、自動車窓ガラスの霜や氷による凍結を、空のペットボトルに熱湯を入れた器具により、安全、簡単に溶解する。【解決手段】耐久性のプラスチック等、適宜素材にて一体形成化された本器に、熱湯入りのペットボトルを挿入した後、本器を窓ガラスの上部に水平に当て、下方に向けて使用することにより、熱湯が本器収納部内２箇所に設けた熱湯排出口３を通り、スポンジに広く浸透し、ガラス面を傷つけることなく、霜や氷を簡単に溶解することに役立つ。【選択図】図１
0003136279.tif 000002
【実用新案登録請求の範囲】
【請求項１】
冬季の屋外に駐車した、自動車窓ガラスの霜や氷による凍結を、空のペットボトルに熱湯を入れた器具により、ガラスに傷をつけることなく、簡単に溶解するものである。
溶解作業にあたっては、直接熱湯に触れる必要がないため安全であり、また、構造も至ってシンプルなことから、故障・破損等の心配が極めて少ないことを特徴とする、霜・氷の溶解器。
【考案の詳細な説明】
【技術分野】
【０００１】  本考案は、凍結した自動車窓ガラス（以下「窓ガラス」という）の霜や氷を溶解するための、ペットボトルを利用した器具に関するものである。
【背景技術】
【０００２】  冬季における窓ガラスの凍結除去対策としては、従来は布で拭いたり、プラスチックのヘラ状の器具で擦ったり、或いは熱湯を沸かしたヤカン、鍋を持って行って窓ガラスに熱湯を振りかけるなどしていた。
【考案の開示】
【考案が解決しようとする課題】
【０００３】  従来は上述のような方法で対処していたが、布等では案外簡単に払拭できず、硬い道具では窓ガラスに傷のつく恐れがあり、作業時間も結構かかっていた。
また、ヤカン、鍋などは駐車場が遠い場合など持ち運びが大変であり、熱湯がこぼれることによる熱傷の心配もあった。
本考案は、作業に当っての熱傷の心配、時間的ロスを軽減し、安全かつ簡単な作業でしかも短時間で前述の課題を解決しようとするものである。
【課題を解決するための手段】
【０００４】  本考案は、容量５００ｍｌ（５００ｃｃ）の空飲料水ペットボトルに熱湯を入れ、これを溶解器本体の収納部に挿入した後、本体のキャップを閉め、グリップを持って吸水性のスポンジで覆われた本体を、窓ガラス上部に水平に当て、軽く押し付けながら下に向けてなぞるだけで、本体内部の２箇所に設けた熱湯排出口（以下「排出口という」）からの熱湯が、本体のスポンジ全体に浸透し、簡単に霜や氷が溶け、問題点を解決する。
【考案の効果】
【０００５】  上述の如く、本考案の溶解器によって安全、簡単かつ、窓ガラスを傷つける事無く、凍結した窓ガラスの霜、氷を溶かすことができる。
また、女性ドライバーの持ち運び、使用を想定し極力軽量な器具とする。
さらに、飲料後の空きペットボトルを利用することから、資源循環型社会の実現に僅かながらも貢献できる。
【考案を実施するための最良の形態】
【０００６】  器具の構造はグリップ部と、吸水性のスポンジで覆ったペットボトル収納部（以下「収納部」という）を一体化形成した単純構造とする。
本体を縦にして、収納部のキャップを開け、熱湯を入れたペットボルを挿入後、収納部のキャップを閉じる。
作業対象車まで距離がある場合は、ペットボトルのキャップも閉めて収納部に挿入しておくと、途中で熱湯がこぼれる心配は全く無い。
本体を縦にしたままでは熱湯が出ないので、作業に入る直前に収納部を水平にすると、ペットボルの熱湯約半分が収納部に流出し、これが収納部内部に設けた２箇所の排出口を通り、スポンジに広く浸透した熱湯が出てきて、霜や氷を溶解する。
作業中に、収納部両端断面の透明部分から湯量をチェックし、収納部内の湯量が少なくなれば、グリップを持ち収納部上部（キャップ側）を下に傾けることで、ペットボトル内の残りの熱湯が再び収納部内へ流出する。
【実施例】
【０００７】  以下、添付図面に従って一実施例を説明する。
図１は、耐久性のプラスチック、吸水性のスポンジ等、適宜素材にて一体形成化された本体で、１は収納部であり、これに熱湯入りのペットボトルを挿入した後、２の収納部キャップを閉じ、本器を窓ガラスの上部になるべく水平に当て、本器を少しずつ回転させながら使用することにより、３の内部２箇所の排出口からの排出湯量を適宜調整でき、ガラス面の大きさ、霜や氷の凍結状況に応じた使い方ができる。【０００８】  試作品による水を使った実験の結果、５００ｍｌペットボトル１本の水量で調整しながら本器を使った場合、４分〜５分間水が出るので、普通自動車１台のフロントガラス、リアーガラスの凍結した、霜や氷の溶解は充分可能である。【０００９】  熱湯が不足すると思われる場合や、車が複数台の場合は保温性の布等で包んだ、予備のペットボトルを用意することで、如何様にも対応が可能である。
ペットボトルの規格は殆ど統一されており  、何処のメーカーでも対応が可能である。
【図面の簡単な説明】
【００１０】
【図１】本考案の自動車窓ガラスの凍結溶解器の正面図である。
【図２】本溶解器の断面図である。
【図３】本体収納部キャップの縦断図である。
【符号の説明】
【００１１】  １本体収納部
２収納部キャップ
３熱湯排出口（直径２．０ｍｍ×２箇所）
４グリップ部
５空気穴（直径１．５ｍｍ）
６収納部外側のスポンジ面（厚さ１０ｍｍ以内）
７グリップ部
８熱湯排出口
９ペットボトル受け突起
【図１】
0003136279.tif 000003
【図２】
0003136279.tif 000004
【図３】
0003136279.tif 000005
【手続補正書】
【提出日】平成19年7月4日(2007.7.4)
【手続補正１】
【補正対象書類名】実用新案登録請求の範囲
【補正対象項目名】請求項１
【補正方法】変更
【補正の内容】
【請求項１】
空のペットボトル（５００ｃｃ）に入れた熱湯により、自動車窓ガラスの凍結を除去する器具であり、その構成においては
（１）熱湯入りペットボトルを装填するための、吸水性スポンジで覆われた、ペットボトルよりやや大きめの、耐久性プラスチックによる円筒形の本体収納部
（２）本体収納部を支えると共に、持ち運びを容易にするための、本体収納部と一体となった耐久性プラスチックによるグリップ部
以上からなる、霜・氷の溶解器。
(57)【要約】【課題】  野菜を洗うのに適した清潔な水が一定の流量で流れる水路などがないため，芋車を利用できない大多数の地域では，里芋の土や粗皮の除去作業として，水道水で土を洗い流した後，粗皮を剥く方法によっているが，栄養分に富んだ粗皮直下の部位を削り捨てたり，人によっては手が痒くなるという課題がある．【解決手段】  水道水を流す洗浄槽を用意し，その中で手動・電動など水流によらない力で芋車を回転させることによって，清潔な水が一定の流量で流れる水路などのない大多数の地域でも，効率的に里芋の土や粗皮を洗い流すことができるようにした．【選択図】図３
0003136271.tif 000002
【実用新案登録請求の範囲】
【請求項１】
野菜を洗うのに適した清潔な水が一定の流量で流れる水路なとのない場合に，水道水を流す洗浄槽
【請求項２】
芋車を回転させるだけの水流のない洗浄槽の中で，手動・電動なと水流によらない力で回転させて，里芋の土や粗皮を効率的に洗い流すことができる芋車
【考案の詳細な説明】
【考案の開示】
【考案が解決しようとする課題】
【０００１】  里芋の土や粗皮の除去をする場合，野菜を洗うのに適した清潔な水が一定の流量で流れる水路などのある地域では．横長の水車に似た形の芋車の中に里芋を入れ，水流で回転させて土や粗皮を洗い流している．このような水路のない大多数の地域では，水道水で里芋を洗って皮を剥いているが，粗皮の直下の栄養分に富んだ部位を削り捨てたり，人によっては手が痒くなるという課題がある．
【課題を解決するための手段】
【０００２】  水道水を流す洗浄槽を用意し，その中で手動・電動など水流によらない力で芋車を回転させることによって，少ない水で里芋の土や粗皮を効率的に洗い流せるようにした
【考案の効果】
【０００３】  野菜を洗うのに適した清潔な水が一定の流量で流れる水路などのない大多数の地域においても，水道水と手動・電動など水流によらない回転力を利用することによって，芋車を使うことができる．また，土の付着の度合・粗皮の剥離の度合によって，水道水の流量を変えられるため，少ない水で里芋の土や粗皮の除去を効率的に行うことができる．
【図面の簡単な説明】
【０００４】
【図１】  把手を右にした芋車本体の断面図である．
【図２】  把手を手前にした芋車本体の断面図である．
【図３】  芋車の把手に隣接する回転軸の軸受部を右にした洗浄槽本体の断面図である．
【図４】  芋車の把手に隣接する回転軸の軸受部を手前にした洗浄槽本体の断面図である．
【符号の説明】
【０００５】  １  芋車本体
２  回転軸
３  把手
４  蓋
５  蝶番
６  留金
７  洗浄槽本体
８  水道水の注入口
９  溢水口
１０  軸受部
１１  水抜き口・栓
１２  蓋
１３  蝶番
１４  留金
【図１】
0003136271.tif 000003
【図２】
0003136271.tif 000004
【図３】
0003136271.tif 000005
【図４】
0003136271.tif 000006
【手続補正書】
【提出日】平成19年2月28日(2007.2.28)
【手続補正１】
【補正対象書類名】実用新案登録請求の範囲
【補正対象項目名】全文
【補正方法】変更
【補正の内容】
【実用新案登録請求の範囲】
【請求項１】
回転軸の軸受の付いた両端の半円形部の下部に安定させるための脚部をもつ半円筒形の一方の端の下部に注水口を，他方の端の上部に溢水口をもち，水の飛散防止のための半円筒形の蓋のある構造の洗浄槽．
【請求項２】
格子状の円筒形で，円筒部の一部に里芋の出し入れをする蓋をもち，両端の円形部で手動・電動など水流によらない力で動かす回転軸と連結する構造の芋車．
【手続補正書】
【提出日】平成19年5月1日(2007.5.1)
【手続補正１】
【補正対象書類名】実用新案登録請求の範囲
【補正対象項目名】全文
【補正方法】変更
【補正の内容】
【実用新案登録請求の範囲】
【請求項１】
回転軸の軸受の付いた両端の半円形部の下部に安定させるための脚部をもつ半円筒形の一方の端の下部に注水口を，他方の端の上部に溢水口をもち，水の飛散防止のための半円筒形の蓋のある構造の洗浄槽．
【請求項２】
水道水利用による食品洗浄に適した水路の再現を特徴とする請求項１の洗浄槽で能率的に機能するように，格子状の円筒形で，円筒部の一部に里芋の出し入れをする蓋をもち，両端の円形部で手動・電動など水流によらない力で動かす回転軸と連結する構造の芋車．
【手続補正書】
【提出日】平成19年6月29日(2007.6.29)
【手続補正１】
【補正対象書類名】実用新案登録請求の範囲
【補正対象項目名】全文
【補正方法】変更
【補正の内容】
【実用新案登録請求の範囲】
【請求項１】
回転軸の軸受の付いた両端の半円形部の下部に安定させるための脚部をもつ半円筒形の一方の端の下部に注水口を，他方の端の上部に溢水口をもち，水の飛散防止のための半円筒形の蓋のある構造の洗浄槽．
【請求項２】
格子状の円筒形で，円筒部の一部に里芋の出し入れをする蓋をもち，両端の円形部で手動・電動など水流によらない力で動かす回転軸と連結し，少ない水で機能する芋車が水道水利用によって小規模に再現された水路の中で回転する構造を特徴とする請求項１の洗浄槽，
(57)【要約】【課題】  本考案は装飾用の造花を携帯電話器や洗面台の鏡面等の平滑面に直接的に着脱自在に取り付けることができる装飾用造花の固定装置を提供せんとすることである。【解決手段】  本考案は、適宜の形状に形成したマジックテープ１の一方の表面に配設した両面テープ２に装飾用の造花３の一部または全面に取り付け、他方の表面に貼り付けた両面テープ２を携帯電話等装飾用造花を取り付けたい対象物に着脱自在に装飾用造花を取り付けることができるように構成することによって、取付け対象物に着脱自在に装飾用造花を取り付けることができ、必要がなくなれば何時でも除去でき、除去後、両面テープの粘着面を濡れタオル等で擦ることにより対象物を傷つける心配をしないで済むようにしたものである。【選択図】図１
0003136275.tif 000002
【実用新案登録請求の範囲】
【請求項１】
適宜の形状に形成したマジックテープの外側表面に両面テープを貼り付け、該両面テープの一方に装飾用の造花の一部または全面を取り付けたことを特徴とする装飾用造花の固定装置。
【考案の詳細な説明】
【技術分野】
【０００１】  本考案は、装飾用造花の固定装置に関するものである。
【背景技術】
【０００２】  従来、アートフラワーと呼ばれる装飾用造花は花瓶等に入れて室内に飾られたり、針金等で束ねたうえで壁面に設けられたフックに固定するのが一般的であった。
【考案の開示】
【考案が解決しようとする課題】
【０００３】  本考案は装飾用の造花を携帯電話や洗面台の鏡等に直接且つ着脱自在に取り付けることができ、しかも取り外し後に傷跡を残さない装置を提供せんとするものである。
【課題を解決するための手段】
【０００４】  本考案は適宜の形状に形成したマジックテープの一方の表面に配設した両面テープに装飾用の造花の一部または全面に取り付け、他方の表面に貼り付けた両面テープを携帯電話等装飾用造花を取り付けたい対象物に着脱自在に装飾用造花を取り付けることができるように構成したことを特徴とするものである。
【考案の効果】
【０００５】  本考案は装飾用造花の一部または全面に適宜の形状に形成したマジックテープの一方の表面に装飾用の造花の一部または全面に取り付け、他方の表面に両面テープを貼り付けるといった簡易な装置を用いることによって、対象物に着脱自在に装飾用造花を取り付けることができ、必要がなくなれば何時でも除去でき、除去後、両面テープの粘着面を濡れタオル等で擦ることにより対象物を傷つける心配をしないで済むという効果を有するものである。
【考案を実施するための最良の形態】
【０００６】  装飾用造花の一部または全面に適宜の形状に形成したマジックテープの一方の表面に装飾用の造花の一部または全面に取り付け、他方の表面に両面テープを貼り付けることによって、装飾用造花を携帯電話器の表面や姿見の鏡部分等に着脱自在に取り付けることができ、必要がなくなれば何時でも除去できるものである。
【実施例】
【０００７】  以下、本考案の実施例を図面に基づいて説明する。
本考案は、適宜の形状に形成したマジックテープ（１）の一方の表面に配設した両面テープ（２）に装飾用の造花（３）の一部または全面に取り付け、他方の表面に貼り付けた両面テープ（２）を携帯電話等装飾用造花を取り付けたい対象物に着脱自在に装飾用造花を取り付けることができるように構成したものである。【０００８】  このように構成することにより、装飾用造花を携帯電話器（４）の表面や洗面台の鏡面（５）の上等、従来取り付けることが困難であった場所に着脱自在に、且つ取り外した跡に傷跡を残さないようにすることができるものである。
【図面の簡単な説明】
【０００９】
【図１】本考案にかかる装飾用造花の固定装置の斜視図である。
【図２】本考案の固定装置を携帯電話の表面に実施したときの斜視図である。
【図３】本考案の固定装置を洗面台の鏡の表面に実施したときの斜視図である。
【符号の説明】
【００１０】        １  マジックテープ
２  両面テープ
３  装飾用造花
４  携帯電話器
５  洗面台の鏡面
【図１】
0003136275.tif 000003
【図２】
0003136275.tif 000004
【図３】
0003136275.tif 000005
【手続補正書】
【提出日】平成19年6月22日(2007.6.22)
【手続補正１】
【補正対象書類名】実用新案登録請求の範囲
【補正対象項目名】全文
【補正方法】変更
【補正の内容】
【実用新案登録請求の範囲】
【請求項１】
適宜の形状に形成した面ファスナーの外側表面に両面テープを貼り付け、該両面テープの一方に装飾用の造花の一部または全面を取り付けたことを特徴とする装飾用造花の固定装置
【手続補正２】
【補正対象書類名】明細書
【補正対象項目名】０００４
【補正方法】変更
【補正の内容】
【０００４】  本考案は適宜の形状に形成した面ファスナーの一方の表面に配設した両面テープに装飾用の造花の一部または全面に取り付け、他方の表面に貼り付けた両面テープを携帯電話等装飾用造花を取り付けたい対象物に着脱自在に装飾用造花を取り付けることができるように構成したことを特徴とするものである。
【手続補正３】
【補正対象書類名】明細書
【補正対象項目名】０００５
【補正方法】変更
【補正の内容】
【０００５】  本考案は装飾用造花の一部または全面に適宜の形状に形成した面ファスナーの一方の表面に装飾用の造花の一部または全面に取り付け、他方の表面に両面テープを貼り付けるといった簡易な装置を用いることによって、対象物に着脱自在に装飾用造花を取り付けることができ、必要がなくなれば何時でも除去でき、除去後、両面テープの粘着面を濡れタオル等で擦ることにより対象物を傷つける心配をしないで済むという効果を有するものである。
【手続補正４】
【補正対象書類名】明細書
【補正対象項目名】０００６
【補正方法】変更
【補正の内容】
【０００６】  装飾用造花の一部または全面に適宜の形状に形成した面ファスナーの一方の表面に装飾用の造花の一部または全面に取り付け、他方の表面に両面テープを貼り付けることによって、装飾用造花を携帯電話器の表面や姿見の鏡部分等に着脱自在に取り付けることができ、必要がなくなれば何時でも除去できるものである。
【手続補正５】
【補正対象書類名】明細書
【補正対象項目名】０００７
【補正方法】変更
【補正の内容】
【０００７】  以下、本考案の実施例を図面に基づいて説明する。
本考案は、適宜の形状に形成した面ファスナー（１）の一方の表面に配設した両面テープ（２）に装飾用の造花（３）の一部または全面に取り付け、他方の表面に貼り付けた両面テープ（２）を携帯電話等装飾用造花を取り付けたい対象物に着脱自在に装飾用造花を取り付けることができるように構成したものである。
【手続補正６】
【補正対象書類名】明細書
【補正対象項目名】００１０
【補正方法】変更
【補正の内容】
【００１０】  １  面ファスナー
２  両面テープ
３  装飾用造花
４  携帯電話器
５  洗面台の鏡面